(57)【要約】【課題】    音の吸音及び拡散を実現でき、部屋の各部位に簡単に設けることができる音環境調整部材及び音環境調整構造を提供すること。【解決手段】    インシュレーションボードからなる背板４と、該背板４の前方に、該背板４と対向して設けられる背板４と略同幅で前方に凸に湾曲した前化粧板２と、背板４と前化粧板２双方の側端部分と係合する縦額縁５と、背板４と前化粧板２の上端及び下端とそれぞれ係合する天板６１及び底板６２とで構成される音環境調整部材本体８において、前記前化粧板２には音環境調整部材本体８の内部と連通する連通部２１が設けられ、音環境調整部材本体８内部には、インシュレーションボードからなる音調整板７が、背板４と前化粧板２の側端部分とで挟持され、前記背板４に沿設させられていることを特徴とする音環境調整部材である。【選択図】図１
2006003408.tif 000002
【特許請求の範囲】
【請求項１】
インシュレーションボードからなる背板と、該背板の前方に、該背板と対向して設けられる背板と略同幅で前方に凸に湾曲した前化粧板と、背板と前化粧板双方の側端部分と係合する縦額縁と、背板と前化粧板の上端及び下端とそれぞれ係合する天板及び底板とで構成される音環境調整部材本体において、前記前化粧板には音環境調整部材本体内部と連通する連通部が設けられ、音環境調整部材本体内部には、インシュレーションボードからなる音調整板が、背板と前化粧板の側端部分とで挟持され、前記背板に沿設させられていることを特徴とする音環境調整部材。
【請求項２】
前記前化粧板に前端面で当接し、後端面で前記背板に当接する、前面が湾曲した略Ｄ字状板である横桟を天板と底板との間に設けたことを特徴とする請求項１記載の音環境調整部材。
【請求項３】
前化粧板が横方向に一定間隔をあけ並設される複数枚の帯板状の前板で構成され、前記連通部を該帯板間の隙間部分としたことを特徴とする請求項１または２に記載の音環境調整部材。
【請求項４】
前化粧板を構成する前板間の隙間部分後方に、帯板状の後板を設けたことを特徴とする請求項３記載の音環境調整部材。
【請求項５】
横桟を天板と底板の間に複数枚間隔をおいて設け、前記音調整板を横桟間にそれぞれ設けたことを特徴とする請求項２から４のいずれか一つに記載の音環境調整部材。
【請求項６】
横桟の前面部分を櫛歯状に形成し、該櫛歯状部分の凸部先端に前板を、凹部後端に後板をそれぞれ設けたことを特徴とする請求項４または５記載の音環境調整部材。
【請求項７】
請求項１から６のいずれか一つに記載される音環境調整部材を、該音環境調整部材が設けられる壁面と背板との間に空間を設けて固定してなる音環境調整構造。
【発明の詳細な説明】
【技術分野】
【０００１】
本発明は、居室内に設けられ、該居室内の音環境を調整することのできる音環境調整部材及び音環境調整構造に関するものである。
【背景技術】
【０００２】
従来から、居室における反響、共鳴等、音環境が悪化している場合にこれを改善する必要性があるため、例えば有孔板等、種々の調整部材が用いられている。その中には、壁面に追加して設けられる板状の部材が知られている（例えば特許文献１、２など）。
【０００３】
これらは主に音の吸収を狙ったものであり居室の音環境改善に役立つが、一方で音が一定の場所に集中すると音環境上望ましくなく、音を適度に拡散をさせる必要がある。これは、部屋の角部分で特に必要となる。
【特許文献１】特開平６−１４６４３１号公報
【特許文献２】特開平６−１５８７５０号公報
【発明の開示】
【発明が解決しようとする課題】
【０００４】
本願発明は、上記背景技術に鑑みて発明されたものであり、その課題は、音の吸音及び拡散を実現でき、部屋の各部位に簡単に設けることができる音環境調整部材及び音環境調整構造を提供することである。
【課題を解決するための手段】
【０００５】
上記課題を解決するために、請求項１に係る本願発明は、インシュレーションボードからなる背板と、該背板の前方に、該背板と対向して設けられる背板と略同幅で前方に凸に湾曲した前化粧板と、背板と前化粧板双方の側端部分と係合する縦額縁と、背板と前化粧板の上端及び下端とそれぞれ係合する天板及び底板とで構成される音環境調整部材本体において、前記前化粧板には音環境調整部材本体内部と連通する連通部が設けられ、音環境調整部材本体内部には、インシュレーションボードからなる音調整板が、背板と前化粧板の側端部分とで挟持され、前記背板に沿設させられていることを特徴とする音環境調整部材としている。
【０００６】
また、請求項２に係る本願発明はさらに、前記前化粧板に前端面で当接し、後端面で前記背板に当接する、前面が湾曲した略Ｄ字状板である横桟を天板と底板との間に設けたことを特徴としている。
【０００７】
また、請求項３に係る本願発明はさらに、前化粧板が横方向に一定間隔をあけ並設される複数枚の帯板状の前板で構成され、前記連通部を該帯板間の隙間部分としたことを特徴としている。
【０００８】
また、請求項４に係る本願発明はさらに、前化粧板を構成する前板間の隙間部分後方に、帯板状の後板を設けたことを特徴としている。
【０００９】
また、請求項５に係る本願発明はさらに、横桟を天板と底板の間に複数枚間隔をおいて設け、前記音調整板を横桟間にそれぞれ設けたことを特徴としている。
【００１０】
また、請求項６に係る本願発明はさらに、横桟の前面部分を櫛歯状に形成し、該櫛歯状部分の凸部先端に前板を、凹部後端に後板をそれぞれ設けたことを特徴としている。
【００１１】
そして、請求項７に係る本願発明では、上記請求項１から６のいずれか一つに記載される音環境調整部材を、該音環境調整部材が設けられる壁面と背板との間に空間を設けて固定してなる音環境調整構造としている。
【発明の効果】
【００１２】
本願発明の請求項１に係る音環境調整部材においては、前化粧板を前方に凸に湾曲させたことで、音を一定方向に反射するのではなく拡散させることができ、また、該前化粧板に連通部が設けられているので、音を全部反射させるのではなく、一部を吸収することができる。
【００１３】
また背板と音調整板とをインシュレーションボードで構成し、沿設しているので、インシュレーションボードの吸音効果を高めることができる。
【００１４】
また請求項２に係る音環境調整部材においては、このように横桟を設けることで、前化粧板の強度を高めることができ、特に前方に凸に湾曲しているために人などが前化粧板に当たり易くなることが想定され、そのような場合にも破損・変形などを防止することができる。
【００１５】
また請求項３に係る音環境調整部材においては、このように前化粧板を前板で構成することで、特に意匠性が向上する。
【００１６】
また請求項４に係る音環境調整部材においては、このように前板間の隙間を後板で目隠しすることで、内部を見せずにすませることができ、音調整板の機能を高めるためにインシュレーションボードを粗いものとしたときでも表から見えず、吸音効果を高めながらも意匠性を維持することができる。
【００１７】
また請求項５に係る音環境調整部材においては、このように横桟を複数枚にすることで、前化粧板の強度を向上することができる。またこれら横桟間に音調整板を分割して設けることで、例えば吸音域が異なる音調整板を適宜入れ替えて用いることなどができ、より良い音環境を実現することが可能となる。
【００１８】
また請求項６に係る音環境調整部材においては、このようにしたことで、前板及び後板とをそれぞれ所定の位置に固定することができ、一定の音環境改善を達成することが容易にできる。
【００１９】
また請求項７に係る音環境調整部材においては、このようにインシュレーションボードの背板を有する音環境調整部材を、壁との間に隙間を設け固定することで、裏側に回りこんだ音を吸音することが期待できる。
【発明を実施するための最良の形態】
【００２０】
請求項１から６に係る本願発明の音環境調整部材の最良の形態を、図１及び図２に示される以下の実施例にて説明する。ここで図１は該音環境調整部材の分解斜視図であり、図２はそれぞれ（ａ）平面図、（ｂ）水平方向に切断した端面図、（ｃ）該端面図におけるＡ部分の拡大図である。
【００２１】
本実施例では、図１に示すように、インシュレーションボードからなる背板４と、該背板４の前方に、該背板４と対向して設けられる背板４と略同幅で前方に凸に湾曲した前化粧板２と、背板４と前化粧板２双方の側端部分と係合する縦額縁５と、背板４と前化粧板２の上端及び下端とそれぞれ係合する天板６１及び底板６２とで構成される音環境調整部材本体８において、前記前化粧板２には音環境調整部材本体８の内部と連通する連通部２１が設けられ、音環境調整部材本体８内部には、インシュレーションボードからなる音調整板７が、背板４と前化粧板２の側端部分とで挟持され、前記背板４に沿設させられていることを特徴とする音環境調整部材１５としている。
【００２２】
また、前記前化粧板２に前端面で当接し、後端面で前記背板４に当接する、前面が湾曲した略Ｄ字状板である横桟１を天板６１と底板６２との間に設けている。
【００２３】
また図２（ｂ）及び（ｃ）によると、前化粧板２が横方向に一定間隔をあけ並設される複数枚の帯板状の前板３で構成され、前記連通部２１を該帯板３間の隙間部分としている。
【００２４】
また、前化粧板２を構成する前板３間の隙間部分後方に、帯板状の後板９を設けている。
【００２５】
また、横桟１を天板６１と底板６２の間に複数枚間隔をおいて設け、前記音調整板７を横桟間にそれぞれ設けている。なお、図１、図２で示される本実施例は、横桟を天板及び底板と密着させるようにしている。このようにすると、化粧用として設けられる本実施例の天板及び底板とを確実に固定することができる。
【００２６】
また、横桟１の前面部分を櫛歯状に形成し、該櫛歯状部分の凸部先端１２に前板３を、凹部後端１１に後板９をそれぞれ設けている。
【００２７】
この前板及び後板は、インテリアとしても本音環境調整部材１５を用いることを考え、ムクのシナ材を用いている。そして縦額縁５及び天板６１、底板６２はアスペン材を用いている。またこれら以外にも種々の木材、金属、樹脂板などを用いることが可能である。
【００２８】
また図２（ｃ）を参照するとこの前板３は、凸部１２先端が嵌まるように凹条が形成されていて、接着面積が増え、より確実に横桟１に固定することができる。また前板３の側方端面はＲ形状とされていて、前板３と後板９との間に形成される連通部２１を通って音環境調整部材１５に音が進入する際の妨げにならないようにされている。
【００２９】
そして後板９は凹部１１後端に設けられているので、位置決めが容易であるとともに、組み立て時も横桟１を所定間隔で前端面を上側に並べて、それぞれの凹部１１に後板９を架設し、そして前板３を凸部１２先端に架設することで簡単に組み立てていくことができる。
【００３０】
そして化粧前板３（又は一番外側の前板３）の外側の端部を、縦額縁５の内側面に設けられた係合溝５１に係合させていて、また縦額縁５の内側には段部が形成されていて、背板４と係合するようになっている。そして背板４と前化粧板２の側方部分とで音調整板７の端部分を挟みこんでいる。なお、音調整板７は接着剤などで全面にわたって背板４と一体に構成されるのではなく、接着剤など使わずに、背板４に沿設されるように挟みこまれていれば良い。
【００３１】
また、小割にされた音調整板７は、インシュレーションボードの種類を変えたり、必要に応じ、柔らかいもの又は硬い素材のインシュレーションボードと交換することもできる。また背板４も横桟１で区切られた区画ごとに対応して分割され、小割背板４１として用いられているが、こうすることで音調整板７の一部を交換するときなど、背板４全体を外すのではなく、これら必要な部位の小割背板４１を外すだけで済ますことができる。
【００３２】
また音調整板７は平板状となっていて、音環境調整部材本体８内部において、音調整板７と前化粧板２との間に空間を持たせているが、たとえば音調整板７の前面を前化粧板２と同様に湾曲させることも考えられる。そしてこれらを組み合わせて用いることもできる。一例として、縦置きに音環境調整部材１５を用いる場合に、最上部の音調整板７を湾曲したもの、それ以外を平板状のもので組み合わせ用いても良い。これらの組み合わせはその部屋の音環境状況によって変わる。勿論一部に音調整板７を入れない場合もありうる。
【００３３】
このようにして構成された音環境調整部材１５は、設置される場所に応じて長手方向を縦向きにしたり、長手方向を横向きにしたり、壁面に取付けて用いられる。そこで、上記音環境調整部材１５を用いた請求項７に係る音環境調整構造を図３を用いて説明をする。
【００３４】
ここでは部屋の角部分に用いられている例として示しているが、上記音環境調整部材１５を、該音環境調整部材１５が設けられる壁面と背板４との間に空間を設けて固定している。なお、特に部屋の角部分に限ることは無く、角部分で無い壁面に取り付ける際も同様に固定する。
【００３５】
そして図示した例である部屋の角部においては、この取付けを簡単に行わせるために、図３に示すように予め天板６１に固定上板１３を取付け、また音環境調整部材１５の下側背面に第一の受桟１９を取付けておく。そして、該音環境調整部材１５を設ける部屋の角部分にある壁面の、固定上板１３と対応する位置に第二の受桟１４を設ける。そして第一の受桟１９と対応する位置に、該第二の受桟１４を保持する固定下板１６を設けるための第三の受桟１７をそれぞれ設けておく。そして固定下板１６は予め第三の受桟１７に固定しておく。
【００３６】
そして音環境調整部材１５をまず固定上板１３と第二の受桟１４とを引っ掛けるようにし、第一の受桟１９を固定下板１６上に係合させる。固定下板１６には予め第一の受桟１９と係合するためのネジ孔１８が設けられていて、ネジ体を用いて固定する。そして固定上板１３も同様にネジ体で固定し、音環境調整部材１５を部屋の角部に固定する。
【００３７】
なお、第三の受桟１７の長さを調整し、ちょうど取付け位置で音環境調整部材１５の背面又は第一の受桟１９と当接するようにしておけば、手暗がりで作業する場合にも簡単に位置決めが行える。
【００３８】
なお、特に図示はしなかったが、角部ではなく通常の壁面に取付ける場合には、これら固定上板１３と固定下板１６とを方形に形成しておけば、同様に背面側に隙間を持たせて取り付けることが可能である。
【００３９】
ところでこのように音環境調整部材１５を壁面に取付ける音環境調整構造では、該音環境調整部材１５の背面側にまわりこんだ音を、インシュレーションボードで構成される背板４で音の吸収を期待することができる。そのためより一層の音環境改善が見込まれる。この効果を更に高めるために、該背板４に小孔などを穿ち、吸音効率を上げることなどが可能である。
【００４０】
勿論、角部に設けられる音環境調整部材１５と通常の壁面に設けられる音環境調整部材１５とを連続させてもよい。また所望の位置に音環境調整部材１５を適宜設けた音環境調整構造としてもよい。
【図面の簡単な説明】
【００４１】
【図１】本願発明の一実施形態である音環境調整部材の分解斜視図である。
【図２】同、（ａ）平面図、（ｂ）断面の端面図、（ｃ）部分拡大図である。
【図３】本願発明の音環境調整部材により形成される音環境調整構造の一例である。
【符号の説明】
【００４２】
１  横桟
２  前化粧板
２１  連通部
３  前板
４  背板
４１  小割背板
５  縦額縁
５１  係合溝
６１  天板
６２  底板
７  音調整板
８  音環境調整部材本体
９  後板
１１  凹部
１２  凸部
１３  固定上板
１４  第二の受桟
１５  音環境調整部材
１６  固定下板
１７  第三の受桟
１８  ネジ孔
１９  第一の受桟
【図１】
2006003408.tif 000003
【図２】
2006003408.tif 000004
【図３】
2006003408.tif 000005